(57)【要約】  【目的】  ネットワーク設定情報を比較的簡単に設定する。  【構成】  パーソナル・コンピュータ１とディジタル・スチル・カメラ10とがＵＳＢケーブルＣを用いて接続される。パーソナル・コンピュータ１に設けられているキーボードを用いてネットワーク設定情報が入力される。入力されたネットワーク設定情報がパーソナル・コンピュータ１からディジタル・スチル・カメラ10に送信される。ネットワーク設定情報がディジタル・スチル・カメラ10に設定され，設定されたネットワーク設定情報にもとづいてディジタル・スチル・カメラ10とアクセス・ポイント30とが通信される。  【選択図】  図１
2005150894.tif 000002
【特許請求の範囲】
【請求項１】
ケーブルを介して通信可能な携帯型電子装置とネットワーク設定情報設定装置とを含むネットワーク設定情報設定システムにおいて，
上記ネットワーク設定情報設定装置が，
上記携帯型電子装置のネットワーク設定情報を入力する入力手段，および
上記入力手段から入力されたネットワーク設定情報を表すデータを，上記ケーブルを介して上記携帯型電子装置に送信する送信手段を備え，
上記携帯型電子装置が，
上記ネットワーク設定情報設定装置の上記送信手段から上記ケーブルを介して送信されるネットワーク設定情報データを受信する受信手段，および
上記受信手段によって受信したネットワーク設定情報データによって表されるネットワーク設定情報にもとづいて，ネットワークを介して通信する第１の通信手段，
を備えたネットワーク設定情報設定システム。
【請求項２】
上記ネットワーク設定情報設定装置が，ネットワークを介して通信するように上記第１の通信手段を制御する通信制御手段をさらに備えた請求項１に記載のネットワーク設定情報設定システム。
【請求項３】
上記ネットワーク設定情報設定装置が，上記入力手段から入力されたネットワーク設定情報を表示する表示装置をさらに備えた請求項１に記載のネットワーク設定情報設定システム。
【請求項４】
上記ネットワーク設定情報設定装置が，
ネットワーク設定情報データを記憶する記憶手段，
上記記憶手段に記憶されているネットワーク設定情報データによって表されるネットワーク設定情報にもとづいてネットワークと通信する第２の通信手段をさらに備え，
上記送信手段が，上記記憶手段に記憶されているネットワーク設定情報データを上記携帯型電子装置に送信するものである，
請求項１に記載のネットワーク設定情報設定システム。
【請求項５】
ネットワークを介して通信可能な携帯型電子装置のネットワーク設定情報を入力する入力手段，および
上記入力手段から入力されたネットワーク設定情報を表すデータを，ケーブルを介して上記携帯型電子装置に送信する送信手段，
を備えたネットワーク設定情報設定装置。
【請求項６】
ネットワーク設定情報設定装置からケーブルを介して送信されるネットワーク設定情報データを受信する受信手段，および
上記受信手段によって受信したネットワーク設定情報データによって表されるネットワーク設定情報にもとづいてネットワークを介して通信する通信手段，
を備えた携帯型電子装置。
【請求項７】
ネットワークを介して通信可能な携帯型電子装置のネットワーク設定情報を入力する装置を設け，
上記入力装置から入力されたネットワーク設定情報を表すデータをケーブルを介して上記携帯型電子装置に送信する，
ネットワーク設定情報設定装置の制御方法。
【請求項８】
ネットワーク設定情報設定装置から上記ケーブルを介して送信されるネットワーク設定情報データを受信し，
受信したネットワーク設定情報データによって表されるネットワーク設定情報にもとづいてネットワークを介して通信する，
携帯型電子装置の制御方法。
【請求項９】
ネットワーク設定情報設定装置を制御するプログラムであって，
ネットワークを介して通信可能な携帯型電子装置のネットワーク設定情報を入力させ，
入力されたネットワーク設定情報を表すデータをケーブルを介して上記携帯型電子装置に送信させるようにネットワーク設定情報設定装置を制御するプログラム。
【請求項１０】
請求項９に記載のプログラムを格納した記録媒体。
【発明の詳細な説明】
【技術分野】
【０００１】
この発明は，ネットワーク設定情報設定システム，このシステムを構成するネットワーク設定情報設定装置および携帯型電子装置ならびにそれらの制御方法ならびにネットワーク設定情報設定装置を制御するプログラムに関する。
【背景技術】
【０００２】
インターネットのウェブ・サイトにアクセスする場合，ＩＤやパスワードなどの認証情報が要求されることがある。ウェブ・サイトにアクセスするごとに逐一ＩＤやパスワードを入力することは面倒であるから，それらの認証情報を記憶しておき，ウェブ・サイトにアクセスするときには，記憶されている認証情報を読み出すことがある。認証情報が要求されるウェブ・サイトが多数ある場合，ウェブ・サイトごとに認証情報を記憶しておくことが考えられている（特許文献１参照）。
【特許文献１】特開2001-167051号公報
【０００３】
記憶されている認証情報を読み出すとしても，少なくとも最初には認証情報を入力する必要がある。パーソナル・コンピュータのようにキーボードをもつものであれば認証情報を入力することは比較的容易であるが，ディジタル・スチル・カメラのようにキーボードがなく，設けられているキー類が少ない場合には，認証情報を入力することは難しい。
【０００４】
ネットワークに接続できるディジタル・スチル・カメラが考えられているが，ネットワークに接続する場合にはネットワーク設定情報をディジタル・スチル・カメラに設定する必要がある。しかしながら，認証情報を入力する場合と同様に，ディジタル・スチル・カメラのような携帯型電子装置においてネットワーク設定情報を入力することは難しいので，ネットワーク設定情報をディジタル・スチル・カメラに設定することは困難である。
【発明の開示】
【０００５】
この発明は，比較的簡単にネットワーク設定情報を設定できるようにすることを目的とする。
【０００６】
この発明は，ケーブルを介して通信可能な携帯型電子装置とネットワーク設定情報設定装置とを含むネットワーク設定情報設定システムについてのものである。
【０００７】
上記ネットワーク設定情報設定装置は，上記携帯型電子装置のネットワーク設定情報を入力する入力手段，および上記入力手段から入力されたネットワーク設定情報を表すデータを，上記ケーブルを介して上記携帯型電子装置に送信する送信手段を備えている。
【０００８】
また，上記携帯型電子装置は，上記ネットワーク設定情報設定装置の上記送信手段から上記ケーブルを介して送信されるネットワーク設定情報データを受信する受信手段，および上記受信手段によって受信したネットワーク設定情報データによって表されるネットワーク設定情報にもとづいて，ネットワークを介して通信する第１の通信手段を備えている。
【０００９】
この発明によると，ネットワーク設定情報を入力する入力手段（たとえば，キーボード）は，携帯型電子装置とは別のネットワーク設定情報設定装置に設けられている。ネットワーク設定情報設定装置に設けられている入力手段を用いてネットワーク設定情報が入力される。入力されたネットワーク設定情報を表すデータがネットワーク設定情報設定装置から携帯型電子装置に送信される。
【００１０】
ネットワーク設定情報設定装置から送信されたネットワーク設定情報を表すデータが携帯型電子装置において受信されると，携帯型電子装置にネットワーク設定情報が設定される。設定されたネットワーク設定情報にもとづいて携帯型電子装置においてネットワークを介して通信が行われる。
【００１１】
この発明によると，携帯型電子装置に，キーボードなどの入力手段が無くともネットワーク設定情報を比較的簡単に設定できるようになる。もっとも，キーボードなどの入力手段を備えている場合においても，この発明を適用できるのはいうまでもない。
【００１２】
上記ネットワーク設定情報設定装置は，ネットワークを介して通信するように上記第１の通信手段を制御する通信制御手段をさらに備えてもよい。上記携帯型電子装置にネットワーク設定情報が設定され，ネットワークを介した通信ができるようになったかどうかの確認を上記ネットワーク設定情報設定装置において制御できる。
【００１３】
上記ネットワーク設定情報設定装置は，上記入力手段から入力されたネットワーク設定情報を表示する表示装置をさらに備えることが好ましい。入力されるネットワーク設定情報を確認しながら，その入力ができるようになる。
【００１４】
上記ネットワーク設定情報設定装置は，ネットワーク設定情報データを記憶する記憶手段，上記記憶手段に記憶されているネットワーク設定情報データによって表されるネットワーク設定情報にもとづいてネットワークと通信する第２の通信手段をさらに備えてもよい。この場合，上記送信手段は，上記記憶手段に記憶されているネットワーク設定情報データを上記携帯型電子装置に送信するものとなろう。上記ネットワーク設定情報設定装置において，新たにネットワーク設定情報を入力することなく，携帯型電子装置においてネットワーク設定情報を設定できるようになる。
【００１５】
上記ネットワーク設定情報設定システムを構成するネットワーク設定情報設定装置および携帯型電子装置をそれぞれ単独で構成してもよい。
【００１６】
また，この発明は，上記ネットワーク設定情報設定装置の制御方法も提供している。すなわち，この方法は，ネットワークを介して通信可能な携帯型電子装置のネットワーク設定情報を入力する装置を設け，上記入力装置から入力されたネットワーク設定情報を表すデータをケーブルを介して上記携帯型電子装置に送信するものである。
【００１７】
さらに，この発明は，上記携帯型電子装置の制御方法も提供している。すなわち，この方法は，ネットワーク設定情報設定装置から上記ケーブルを介して送信されるネットワーク設定情報データを受信し，受信したネットワーク設定情報データによって表されるネットワーク設定情報にもとづいてネットワークを介して通信するものである。
【００１８】
また，この発明は，上記ネットワーク設定情報設定装置および上記携帯型電子装置をそれぞれ制御するプログラムおよびそのプログラムを格納した記録媒体も提供している。
【実施例】
【００１９】
図１は，この発明の実施例を示すもので，ネットワーク設定情報設定システムの概要を示している。
【００２０】
ネットワーク設定情報設定システムには，ＵＳＢ（Universal Serial Bus）ケーブル（ＵＳＢケーブルに限られない）Ｃによって接続されているパーソナル・コンピュータ（ネットワーク設定装置）１とディジタル・スチル・カメラ（携帯型電子装置）10とが含まれている。ディジタル・スチル・カメラ10は通信機能をもつものでネットワーク設定情報が設定されることにより，アクセス・ポイント30と通信できる。
【００２１】
この実施例においては，パーソナル・コンピュータ１のキーボードを用いてパーソナル・コンピュータ１にネットワーク設定情報80が入力される。入力されたネットワーク設定情報80を表すデータがパーソナル・コンピュータ１からディジタル・スチル・カメラ10に送信され，ディジタル・スチル・カメラ10にネットワーク設定情報80が設定される。すると，ディジタル・スチル・カメラ10がアクセス・ポイント30と通信できるようになる。より詳しくは，以下の説明によって明らかとなろう。
【００２２】
図２は，パーソナル・コンピュータ１の電気的構成を示すブロック図である。
【００２３】
パーソナル・コンピュータ１は，ＣＰＵ６によって全体の動作が統括される。
【００２４】
パーソナル・コンピュータ１には，上述したようにネットワーク設定情報を入力するためのキーボード５およびキーボード５から入力されたネットワーク設定情報を表示する表示装置４が含まれている。また，パーソナル・コンピュータ１にはＵＳＢケーブルＣを接続するためのＵＳＢインターフェイス２およびアクセス・ポイント30と通信可能な通信装置を接続可能な外部通信インターフェイス３が含まれている。
【００２５】
さらに，入力された設定情報を表すデータなどのデータを記憶するメモリ７がパーソナル・コンピュータ７に含まれている。また，後述するネットワーク設定のためのプログラムが格納されているCD-ROM（コンパクト・ディスク−リード・オンリ・メモリ）を読み取るためのCD-ROMドライブ９ならびにハードディスク（図示略）にデータを書き込むおよび書き込まれているデータを読み取るためのＨＤ（ハードディスク）ドライブ８がパーソナル・コンピュータ１に含まれている。
【００２６】
図３は，ディジタル・スチル・カメラ10の電気的構成を示すブロック図である。
【００２７】
ディジタル・スチル・カメラ10の全体の動作は，ＣＰＵ13によって統括される。
【００２８】
ディジタル・スチル・カメラ10には，被写体を撮像し，被写体像を表す映像信号を出力する撮像素子11および撮像素子11から出力された映像信号に，ガンマ補正，白バランス補正，アナログ／ディジタル変換処理などの所定の信号処理を行う信号処理回路12が含まれている。また，ディジタル・スチル・カメラ10には，データを一時的に記憶するメモリ14，撮像によって得られた画像を表示するための液晶表示装置15が含まれている。
【００２９】
ディジタル・スチル・カメラ10には，パーソナル・コンピュータ１から送信されたネットワーク設定情報を表すデータを記憶するネットワーク設定情報保持メモリ16およびパーソナル・コンピュータ１からの指令にしたがって，設定されたネットワーク設定情報にもとづいてアクセス・ポイント30と通信ができるかどうかを確認するためのネットワーク接続確認回路17が含まれている。
【００３０】
さらに，ディジタル・スチル・カメラ10には，ＵＳＢケーブルＣを用いてパーソナル・コンピュータ１と接続するためのＵＳＢインターフェイス18およびメモリ・カード・インターフェイス19が含まれている。このメモリ・カード・インターフェイス19にはメモリ・カード20が接続されている。ディジタル・スチル・カメラ10には，アクセス・ポイント30と通信するための無線ＬＡＮ（Local Area Network）装置22を接続するための外部通信インターフェイス21が含まれている。
【００３１】
ディジタル・スチル・カメラ10には，さらに，ストロボ発光装置24およびストロボ発光装置24の発光を制御するストロボ制御回路23ならびに上下左右の矢印が押下可能に円周上に形成され，所定の指令を与えるための十字キー25が含まれている。
【００３２】
図４および図５は，パーソナル・コンピュータ１とディジタル・スチル・カメラ10との間の処理手順を示すフローチャートである。図６から図10は，パーソナル・コンピュータ１の表示装置４の表示画面に表示されるウインドウの一例である。
【００３３】
まず，パーソナル・コンピュータ１において，ネットワーク設定情報を設定するためのソフトウエアが起動させられる（図４ステップ31）。すると，パーソナル・コンピュータ１の表示装置４の表示画面には，図６に示すＥＳＳＩＤ（Enhanced Service Set ID）入力用ウインドウ60が表示される。ユーザは，パーソナル・コンピュータ１のキーボード５を用いてＥＳＳＩＤを入力する（図４ステップ32）。
【００３４】
図６を参照して，ＥＳＳＩＤ入力用ウインドウ60には，枠61ならびに読取ボタン62および次へボタン63が含まれている。枠61は，キーボード５から入力されたＥＳＳＩＤを表示するものである。読取ボタン62は，新たにネットワーク設定情報を入力するのではなく，すでに入力されているネットワーク設定情報（外部インターフェイス３に接続される無線ＬＡＮディバイスを用いて通信するときに設定されたネットワーク設定情報）を利用する場合にパーソナル・コンピュータ１のユーザによってクリックされるボタンである。次へボタン63は，ＥＳＳＩＤの入力が終了したことにより，パーソナル・コンピュータ１のユーザによってクリックされるボタンである。
【００３５】
図４に戻って，次へボタン63が押されると，入力されたＥＳＳＩＤの文字数が確認され（図４ステップ33），入力されたＥＳＳＩＤの文字数が規定の文字数と異なっていると（図４ステップ33でＮＧ），警告が表示され，ＥＳＳＩＤの再入力が行われる（図４ステップ34）。入力されたＥＳＳＩＤの文字数が規定の文字数と合っていると（図４ステップ33でＯＫ），表示装置４の表示画面には図７に示すWep（Wired Equivalent Privacy）−key入力用ウインドウ60が表示される。Wep−key入力ウインドウ60を用いてWep−keyが入力される（図４ステップ35）。
【００３６】
図７を参照して，Wep−key入力用ウインドウ60には，枠65ならびに戻るボタン66および次へボタン63が含まれている。枠65は，キーボード５からWep−keyが入力されることに対応してアスタリスクを表示するものである。戻るボタン66は，ＥＳＳＩＤ入力用ウインドウ60に戻るときにユーザによってクリックされるものである。次へボタン63は，Wep−keyの入力が終了したことにより，パーソナル・コンピュータ１のユーザによってクリックされるボタンである。
【００３７】
再び図４にもどって，次へボタン63が押されると，入力されたWep−keyの文字数が確認され（図４ステップ36），入力されたWep−keyの文字数が規定の文字数と異なっていると（図４ステップ36でＮＧ），警告が表示され，Wep−keyの再入力が行われる（図４ステップ37）。入力されたWep−keyの文字数が規定の文字数と合っていると（図４ステップ36でＯＫ），ＥＳＳＩＤおよびWep−keyを除くネットワーク設定情報の入力用のウインドウが表示される。残りのネットワーク設定情報が同様にして入力される（図４ステップ38）。
【００３８】
このようにしてすべてのネットワーク設定情報が入力されると，表示装置４の表示画面には図８に示す転送ウインドウ60が表示される。
【００３９】
図８を参照して，転送ウインドウ60には，ネットワーク設定情報表示領域71ならびに戻るボタン66および転送ボタン73が含まれている。ネットワーク設定情報表示領域71には，上述のようにして入力されたネットワーク設定情報が表示される。ただし，Wep−keyはアスタリスクが表示される。戻るボタン66は，転送ウインドウ60の一つ前のウインドウを表示するときにユーザによってクリックされるボタンである。転送ボタン73は，設定されたネットワーク設定情報をディジタル・スチル・カメラ10に送信するときにユーザによってクリックされるボタンである。
【００４０】
転送ボタン73がクリックされると，表示装置４の表示画面には図９に示す確認ウインドウ60が表示される。
【００４１】
図９に示す確認ウインドウ60には，設定されたネットワーク設定情報を表示する領域71ならびに戻るボタン66および確認ボタン74が含まれている。ネットワーク設定情報表示領域71には，上述のようにして設定されたネットワーク設定情報が表示される。ユーザは，ネットワーク設定情報表示領域71に表示されているネットワーク設定情報を見て，正しければ確認ボタン74を押す。表示されているネットワーク設定情報に間違いがあれば，戻るボタン66が押され，以前のウインドウが表示される。再びネットワーク設定情報の設定がやり直される。
【００４２】
図11は，設定されたネットワーク設定情報の一例である。
【００４３】
ネットワーク設定情報には，上述したＥＳＳＩＤおよびWep−keyの他に設定名称，接続形態，ＩＰ（インターネット・プロトコル）アドレス，ネットマスク，ルータ・アドレス，ＤＮＳ（Domain Name System）アドレスなどがある。
【００４４】
再び図４に戻って，確認ボタン74が押されると，入力されたネットワーク設定情報がパーソナル・コンピュータ１からディジタル・スチル・カメラ10に送信される（図４ステップ39）。
【００４５】
パーソナル・コンピュータ１から送信されたネットワーク設定情報がディジタル・スチル・カメラ１において受信されると（図５ステップ51），ネットワーク設定情報保持メモリ16に記憶される（図５ステップ52）。
【００４６】
その後，パーソナル・コンピュータ１からディジタル・スチル・カメラ１にネットワーク接続指令が送信される（図５ステップ40）。
【００４７】
パーソナル・コンピュータ１から送信された接続指令がディジタル・スチル・カメラ１において受信されると，その指令に応じて，ディジタル・スチル・カメラ１のネットワーク設定情報保持メモリ16に記憶されているネットワーク設定情報が読み出される。読み出されたネットワーク設定情報にしたがって，ネットワーク接続確認回路17の制御のもとに，無線ＬＡＮ装置22が制御され，アクセス・ポイント30との接続（通信）が実際に行われる（図５ステップ50）。ディジタル・スチル・カメラ10とアクセス・ポイント30との間の接続が失敗すると（ステップ54でＮＯ），接続失敗を表すデータがディジタル・スチル・カメラ10からパーソナル・コンピュータ１に送信される（図５ステップ55）。
【００４８】
ネットワーク接続指令の送信後一定期間内に接続失敗を表すデータがパーソナル・コンピュータ１において受信されないと（ステップ41でＮＯ），接続が成功したと見なされて，パーソナル・コンピュータ１の表示装置４の表示画面には図10に示す接続確認ウインドウ60が表示される。接続確認ウインドウ60には，ネットワーク設定情報表示領域71および終了ボタン75とが含まれている。終了ボタン75がクリックされることにより，ネットワーク設定ソフトウエアの動作が終了する。ディジタル・スチル・カメラ10にキーボードなどが無くともネットワーク設定情報を設定できる。
【００４９】
ディジタル・スチル・カメラ10とアクセス・ポイント30との接続が失敗した場合に接続失敗を示すデータをディジタル・スチル・カメラ10からパーソナル・コンピュータ１に送信することに加えて，または接続失敗を示すデータをパーソナル・コンピュータ１に送信することなしに，ディジタル・スチル・カメラ10とアクセス・ポイント30との接続が成功した場合に，成功を示すデータをディジタル・スチル・カメラ10からパーソナル・コンピュータ１に送信するようにしてもよい。
【００５０】
また，上述の実施例においては，接続確認指令がパーソナル・コンピュータ１からディジタル・スチル・カメラ10に送信され，その接続確認指令にもとづいてディジタル・スチル・カメラ10とパーソナル・コンピュータ１との接続確認が行われているが，必ずしも接続確認が行われなくともよい。
【００５１】
さらに，上述したように，パーソナル・コンピュータ１は，外部通信インターフェイス３に無線ＬＡＮ装置を接続することにより，アクセス・ポイント30と接続できるから，その接続のためのネットワーク設定情報も設定され，たとえば，メモリ７に記憶されている。上記読取ボタン62（図６参照）がクリックされることにより，このメモリ７に記憶されているネットワーク設定情報を表すデータをパーソナル・コンピュータ１からディジタル・スチル・カメラ10に送信することもできる。
【図面の簡単な説明】
【００５２】
【図１】ネットワーク設定情報設定システムの概要を示している。
【図２】パーソナル・コンピュータの電気的構成を示すブロック図である。
【図３】ディジタル・スチル・カメラの電気的構成を示すブロック図である。
【図４】パーソナル・コンピュータとディジタル・スチル・カメラとの処理手順を示すフローチャートである。
【図５】パーソナル・コンピュータとディジタル・スチル・カメラとの処理手順を示すフローチャートである。
【図６】パーソナル・コンピュータの表示装置の画面に表示されるウインドウの一例である。
【図７】パーソナル・コンピュータの表示装置の画面に表示されるウインドウの一例である。
【図８】パーソナル・コンピュータの表示装置の画面に表示されるウインドウの一例である。
【図９】パーソナル・コンピュータの表示装置の画面に表示されるウインドウの一例である。
【図１０】パーソナル・コンピュータの表示装置の画面に表示されるウインドウの一例である。
【図１１】ネットワーク設定情報の一例である。
【符号の説明】
【００５３】
１  パーソナル・コンピュータ（ネットワーク設定情報設定装置）
２，18  ＵＳＢインターフェイス
３，21  外部通信インターフェイス
４  表示装置
５  キーボード（入力手段）
６，13  ＣＰＵ
10  ディジタル・スチル・カメラ（携帯型電子装置）
16  ネットワーク設定情報保持メモリ
17  無線接続確認回路
22  無線通信装置
30  アクセス・ポイント
60  ウインドウ
80  ネットワーク設定情報
【図１】
2005150894.tif 000003
【図２】
2005150894.tif 000004
【図３】
2005150894.tif 000005
【図４】
2005150894.tif 000006
【図５】
2005150894.tif 000007
【図６】
2005150894.tif 000008
【図７】
2005150894.tif 000009
【図８】
2005150894.tif 000010
【図９】
2005150894.tif 000011
【図１０】
2005150894.tif 000012
【図１１】
2005150894.tif 000013